(57)【要約】【課題】複数の励振器を第１パネルに取付けた場合でも、第１パネルのそれぞれの領域から発される音の音質の悪化を抑制することができるスピーカ装置を提供する。【解決手段】パネルスピーカ装置１０は、前面１１１ａ１に映像を表示する第１パネル１１１と、第１パネル１１１を振動させて音を発生させる複数の励振器１３１と、第１パネル１１１とで複数の励振器１３１を挟み、かつ、第１パネル１１１の背面１１１ａ２に配置される第２パネル１１２と、第１パネル１１１の背面１１１ａ２に固定される枠体１２０とを備える。また、第１パネル１１１、第２パネル１１２及び枠体１２０は、第１パネル１１１と第２パネル１１２との間の空気層を封止するように囲む。枠体１２０は、空気層を複数の分割領域に分割する１つ以上の仕切り部１２２を有する。そして、複数の分割領域のそれぞれには、１つの励振器１３１が配置される。【選択図】図２
2020039107.tif 000002
【特許請求の範囲】
【請求項１】
前面に映像を表示する第１パネルと、
前記第１パネルの背面に配置され、かつ、前記第１パネルを振動させて音を発生させる複数の励振器と、
前記第１パネルとで前記複数の励振器を挟み、かつ、前記第１パネルの背面に配置される第２パネルと、
前記第１パネルの背面に固定される枠体とを備え、
前記第１パネル、前記第２パネル及び前記枠体は、前記第１パネルと前記第２パネルとの間の空気層を封止するように囲み、
前記枠体は、前記空気層を複数の領域に分割する１つ以上の仕切り部を有し、
前記複数の領域のそれぞれには、１つの前記励振器が配置される
スピーカ装置。
【請求項２】
さらに、パッシブラジエータを備え、
前記パッシブラジエータは、前記第２パネルに取付けられる
請求項１に記載のスピーカ装置。
【請求項３】
前記１つ以上の仕切り部は、前記第２パネルと接着される
請求項１又は２に記載のスピーカ装置。
【請求項４】
前記１つ以上の仕切り部は、前記第１パネル及び前記第２パネルが並ぶ第１方向と直交する第２方向に並ぶように前記空気層を前記複数の領域に分割する
請求項１〜３のいずれか１項に記載のスピーカ装置。
【請求項５】
前記複数の領域のうちの両端に位置する一方の領域及び他方の領域のそれぞれの前記第２方向における幅は、分割されていない状態の前記空気層における前記第２方向の幅を、分割された前記複数の領域の数で除算した値未満である
請求項４に記載のスピーカ装置。
【請求項６】
前記１つ以上の仕切り部は、連続気泡体で構成される
請求項１〜５のいずれか１項に記載のスピーカ装置。
【請求項７】
前記枠体は、さらに、前記仕切り部を支持するフレーム部を有し、
前記フレーム部は、前記第１パネル及び前記第２パネルとによって、前記空気層を封止するように囲み、
前記仕切り部は、前記フレーム部よりも剛性が低い素材で構成される
請求項１〜６のいずれか１項に記載のスピーカ装置。
【発明の詳細な説明】
【技術分野】
【０００１】
本開示は、スピーカ装置に関する。
【背景技術】
【０００２】
従来のスピーカ装置として特許文献１には、磁気回路とボイスコイルとを含むエキサイタと、エキサイタによって励振される平板状の複数の振動板と、複数の振動板が取付けられる薄板又はシートとを備えたパネル型スピーカが開示されている。
【先行技術文献】
【特許文献】
【０００３】
【特許文献１】特許第３８７７０３１号公報
【発明の概要】
【発明が解決しようとする課題】
【０００４】
従来のスピーカ装置のように、エキサイタ等の複数の励振器によって第１パネルを振動させた場合、複数の励振器のうちの、１つの励振器による第１パネルの振動と別の励振器による第１パネルの振動とが混ざり合うことがある。振動が混ざり合うことで、第１パネルから発される音質は、悪化してしまうことがある。
【０００５】
そこで、複数の励振器を第１パネルに取付けた場合でも、第１パネルのそれぞれの領域から発される音の音質の悪化を抑制することができるスピーカ装置を提供することを目的とする。
【課題を解決するための手段】
【０００６】
上記目的を達成するために、本開示に係るスピーカ装置の一態様は、前面に映像を表示する第１パネルと、前記第１パネルの背面に配置され、かつ、前記第１パネルを振動させて音を発生させる複数の励振器と、前記第１パネルとで前記複数の励振器を挟み、かつ、前記第１パネルの背面に配置される第２パネルと、前記第１パネルの背面に固定される枠体とを備え、前記第１パネル、前記第２パネル及び前記枠体は、前記第１パネルと前記第２パネルとの間の空気層を封止するように囲み、前記枠体は、前記空気層を複数の領域に分割する１つ以上の仕切り部を有し、前記複数の領域のそれぞれには、１つの前記励振器が配置される。
【０００７】
なお、これらの包括的又は具体的な態様は、システム、方法、集積回路、コンピュータプログラム又はコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００８】
本開示に係るスピーカ装置は、複数の励振器を第１パネルに取付けた場合でも、第１パネルのそれぞれの領域から発される音の音質の悪化を抑制することができる。
【図面の簡単な説明】
【０００９】
【図１】図１は、実施の形態に係るパネルスピーカ装置を含む映像表示装置を例示する斜視図である。
【図２】図２は、実施の形態に係るパネルスピーカ装置を含む映像表示装置の分解斜視図である。
【図３Ａ】図３Ａは、図１のＩＩＩＡ−ＩＩＩＡ線におけるパネルスピーカ装置を含む映像表示装置の断面図である。
【図３Ｂ】図３Ｂは、図１のＩＩＩＢ−ＩＩＩＢ線におけるパッシブラジエータの断面図である。
【図４】図４は、実施の形態に係るパネルスピーカ装置及び仕切り部を備えていないパネルスピーカ装置の模式図と、実施の形態に係るパネルスピーカ装置を駆動させた場合の第１パネルの振幅分布と、仕切り部を備えていないパネルスピーカ装置とにおける第１パネルを駆動させた場合の第１パネルの振幅分布とを示す図である。
【図５】図５は、実施の形態に係るパネルスピーカ装置の第１パネルから発せられる周波数応答特性と、仕切り部を備えていないパネルスピーカ装置の第１パネルから発せられる周波数応答特性とを示す図である。
【発明を実施するための形態】
【００１０】
本開示の一形態に係るスピーカ装置は、前面に映像を表示する第１パネルと、前記第１パネルの背面に配置され、かつ、前記第１パネルを振動させて音を発生させる複数の励振器と、前記第１パネルとで前記複数の励振器を挟み、かつ、前記第１パネルの背面に配置される第２パネルと、前記第１パネルの背面に固定される枠体とを備え、前記第１パネル、前記第２パネル及び前記枠体は、前記第１パネルと前記第２パネルとの間の空気層を封止するように囲み、前記枠体は、前記空気層を複数の領域に分割する１つ以上の仕切り部を有し、前記複数の領域のそれぞれには、１つの前記励振器が配置される。
【００１１】
これによれば、第１パネルの背面に固定された状態の仕切り部が、空気層を分割することで、それぞれの領域を（空間的に）独立させることができ、かつ、空気層を分割したそれぞれの領域に対応する第１パネルのそれぞれの振動領域を独立させることができる。つまり、それぞれの振動領域の振動が相互に混ざり合わないように、それぞれの振動領域を個別に振動させることができる。このため、それぞれの領域に対応した第１パネルのそれぞれの振動領域が個別に音を発することができる。
【００１２】
したがって、スピーカ装置では、複数の励振器を第１パネルに取付けた場合でも、第１パネルのそれぞれの領域から発される音の音質の悪化を抑制することができる。
【００１３】
また、本開示の他の形態に係るスピーカ装置は、さらに、パッシブラジエータを備え、前記パッシブラジエータは、前記第２パネルに取付けられる。
【００１４】
これによれば、低域の音を再生することができるため、重低音を再生することができる。このため、ユーザにより臨場感を与えることができる。
【００１５】
また、本開示の他の形態に係るスピーカ装置において、前記１つ以上の仕切り部は、前記第２パネルと接着される。
【００１６】
これによれば、仕切り部が第１パネルをより強固に固定することができるため、それぞれの領域の独立性と、第１パネルにおける複数の領域に対応する、それぞれの振動領域の独立性とを向上させることができる。このため、第１パネルにおける隣り合う２つの振動領域の振動が混ざり難くなる。このため、第１パネルのそれぞれの領域から発される音の音質の悪化を、より抑制することができる。
【００１７】
また、本開示の他の形態に係るスピーカ装置において、前記１つ以上の仕切り部は、前記第１パネル及び前記第２パネルが並ぶ第１方向と直交する第２方向に並ぶように前記空気層を前記複数の領域に分割する。
【００１８】
これによれば、例えば、空気層を三分割した場合（３つの領域が形成された場合）、振動領域も三分割される。この場合、中央の振動領域の両側に配置される振動領域によってステレオフォニックを実現することができる。また、別の例では、映像に表示されるキャラクターの位置に応じて空気層と振動領域とを分割した場合、そのキャラクターがあたかも音を発しているかのような臨場感をユーザに与えることができる。このように自由に空気層と振動領域とを分割することができるため、このスピーカ装置では、設計の自由度が高い。
【００１９】
また、本開示の他の形態に係るスピーカ装置において、前記複数の領域のうちの両端に位置する一方の領域及び他方の領域のそれぞれの前記第２方向における幅は、分割されていない状態の前記空気層における前記第２方向の幅を分割された前記複数の領域の数で除算した値未満である。
【００２０】
これによれば、１つの空気層に１つの励振器を配置した場合、複数の領域のうちの両端側に位置するそれぞれの領域に配置される一対の励振器を、両端側に位置するそれぞれの領域の間に位置する領域に配置される励振器から遠ざけることができる。このため、第１パネルにおける隣り合う２つの振動領域の振動が混ざり難くなる。その結果、第１パネルから発される音の音質の悪化を、より抑制することができる。
【００２１】
特に、高域の音については、隣り合う２つの振動領域の振動が混ざり合い難くなる。このため、スピーカ装置では、高域の音の音質の悪化を、より抑制することができる。
【００２２】
また、本開示の他の形態に係るスピーカ装置において、前記１つ以上の仕切り部は、連続気泡体で構成される。
【００２３】
これによれば、複数の領域のうちの隣り合う２つの領域では、空気を行き来させることができる。このため、隣り合う２つの領域では、高域の音となる振動を分離させ、かつ、低域の音となる振動を完全に分離させずに互いに伝達することができる。
【００２４】
例えば、空気層を三分割した場合、高域の音については、ユーザは、右側と左側とのそれぞれの振動領域から発せられる音によってステレオフォニックを体感し易くなることが知られている。また、低域の音については、人が敏感に聴き取り難い音であることが知られている。このため、低域の音では、隣り合う２つの振動領域の振動が混ざっても、人は、さほど違和感を覚えないことが知られている。
【００２５】
そこで、高域の音は低域の音よりも周波数が高いため、仕切り部を介した空気を媒介する振動が混ざり合い難い。このため、第１パネルのそれぞれの領域から発される高域の音の音質の悪化を、抑制することができる。
【００２６】
また、低域の音は高域の音よりも周波数が低いため、仕切り部を介した空気を媒介する振動が混ざり合う。このため、空気層を分割したことによる空気層の体積の減少による、低域の音の音質の悪化を抑制することができる。
【００２７】
また、本開示の他の形態に係るスピーカ装置において、前記枠体は、さらに、前記仕切り部を支持するフレーム部を有し、前記フレーム部は、前記第１パネル及び前記第２パネルとによって、前記空気層を封止するように囲み、前記仕切り部は、前記フレーム部よりも剛性が低い素材で構成される。
【００２８】
これによれば、仕切り部によって第１パネルを振動させるそれぞれの領域を独立させるため、隣り合う２つの領域では、高域の音となる振動を分離させることができ、低域の音となる振動を完全に分離させずに互いに伝達させることができる。
【００２９】
また、フレーム部が仕切り部よりも剛性が高いため、低域の音を出すために、励振器によって第１パネル全体が振動しても、第１パネルの端縁で振動が跳ね返り難く、打ち消し合い難くなる。このため、第１パネルで振動が混ざり合い難くなる。
【００３０】
このため、第１パネルのそれぞれの領域から発される音の音質の悪化を、より抑制することができる。
【００３１】
以下では、本開示の実施の形態について、図面を用いて詳細に説明する。なお、以下に説明する実施の形態は、いずれも本開示の一具体例を示すものである。したがって、以下の実施の形態で示される数値、形状、材料、構成要素、構成要素の配置及び接続形態等は、一例であり、本開示を限定する趣旨ではない。よって、以下の実施の形態における構成要素のうち、本開示の最上位概念を示す独立請求項に記載されていない構成要素については、任意の構成要素として説明される。
【００３２】
また、各図は、模式図であり、必ずしも厳密に図示されたものではない。したがって、例えば、各図において縮尺等は必ずしも一致しない。また、各図において、実質的に同一の構成については同一の符号を付しており、重複する説明は省略又は簡略化する。
【００３３】
まず、本実施の形態に係るスピーカ装置について説明する。
【００３４】
（実施の形態）
［構成］
図１は、実施の形態に係るパネルスピーカ装置１０を含む映像表示装置１を例示する斜視図である。
【００３５】
図１では、第１パネル１１１の前面１１１ａ１と直交する方向であり、第１パネル１１１の振動によって発生する音が取り出される方向をＸ軸プラス方向と規定し、分割された複数の空気層の並び方向の一方側をＹ軸プラス方向と規定し、Ｘ軸プラス方向及びＹ軸プラス方向と直交する方向をＺ軸プラス方向と規定する。そして、図２以降の各図に示す各方向は、図１に示す各方向に適宜対応させて表示する場合がある。
【００３６】
図１に示すように、パネルスピーカ装置１０は、テレビジョン等の映像表示装置１に搭載される。パネルスピーカ装置１０は、映像表示装置１の表示パネルに搭載され、表示パネル全面をスピーカのように機能させることで、表示パネル全面から音を出力する。これにより、ユーザには、音と表示パネルとが同調した臨場感を与える。パネルスピーカ装置１０は、スピーカ装置の一例である。
【００３７】
このような映像表示装置１は、薄型化されており、例えば、壁等の設置面に取付けられる。
【００３８】
図２は、実施の形態に係るパネルスピーカ装置１０を含む映像表示装置１の分解斜視図である。図３Ａは、図１のＩＩＩＡ−ＩＩＩＡ線におけるパネルスピーカ装置１０を含む映像表示装置１の断面図である。
【００３９】
図２及び図３Ａに示すように、パネルスピーカ装置１０は、第１パネル１１１と、第２パネル１１２と、枠体１２０と、複数の励振器１３１と、パッシブラジエータ１３２と、外枠１４０とを備える。
【００４０】
第１パネル１１１は、前面１１１ａ１に映像を表示する薄型の表示パネルである。例えば、第１パネル１１１は、有機ＥＬパネル、液晶パネル等である。前面１１１ａ１は、ユーザに対して提供する映像が表示される側の面であり、映像表示装置１におけるＸ軸プラス方向側の面である。
【００４１】
また、第１パネル１１１の背面１１１ａ２には、複数の励振器１３１が設けられる。このため、第１パネル１１１の前面１１１ａ１は、複数の励振器１３１によって発生する音が取り出される面でもある。背面１１１ａ２は、映像表示装置１におけるＸ軸マイナス方向側の面である。
【００４２】
本実施の形態では、第１パネル１１１の形状は、平面視（Ｘ軸プラス方向側から見て）で矩形状であるが形状は特に限定されない。
【００４３】
また、第１パネル１１１は、複数の振動領域１１１ａ、１１１ｂ、１１１ｃを有する。具体的には、第１パネル１１１と枠体１２０とをＸ軸プラス方向から平面視した場合において、振動領域１１１ａ、１１１ｂ、１１１ｃは、第１パネル１１１と枠体１２０とが重ならないそれぞれの領域である。振動領域１１１ａ、１１１ｂ、１１１ｃは、励振器１３１によって積極的に振動し、音を発生させる第１パネル１１１の一部分である。
【００４４】
第２パネル１１２は、第１パネル１１１と所定間隔を空けて、複数の励振器１３１を挟んで第１パネル１１１の背面１１１ａ２側に配置されるバックパネルである。つまり、第１パネル１１１の前面１１１ａ１から平面視した場合、第２パネル１１２と第１パネル１１１とが重なる。背面１１１ａ２は、Ｘ軸マイナス方向側の面である。
【００４５】
また、第２パネル１１２は、略板状である。第２パネル１１２は、第１パネル１１１から遠ざかる方向に膨らむ膨出部１１２ｂを有する。本実施の形態では、膨出部１１２ｂは、第２パネル１１２の中央部分がＸ軸マイナス方向に膨出した部分である。膨出部１１２ｂには、低域の音を出力させる励振器１３１が配置される。なお、膨出部１１２ｂの位置は、第２パネル１１２の中央部分には限定されず、第２パネル１１２のどの部分でもよい。
【００４６】
第２パネル１１２には、パッシブラジエータ１３２から音を出力させるための開口部１１２ａが形成される。開口部１１２ａは、空気層と映像表示装置１の外部とを接続する貫通孔である。
【００４７】
第２パネル１１２の形状は、第１パネル１１１の形状と対応する形状であり、本実施の形態では、平面視で矩形状であるが形状は特に限定されない。
【００４８】
また、第２パネル１１２には、第１パネル１１１を表示させるための映像制御回路、電源部等が設けられてもよい。このため、第２パネル１１２は、第１パネル１１１等を支持するための剛性が必要である。なお、映像制御回路、電源部等は、膨出部１１２ｂの周辺に設けられていてもよい。
【００４９】
枠体１２０は、第１パネル１１１と第２パネル１１２との間の空気層に複数の励振器１３１を配置するためのスペーサである。枠体１２０は、第１パネル１１１の背面１１１ａ２に接着して固定され、かつ、第１パネル１１１と第２パネル１１２との間の空気層を封止するように囲む。第２パネル１１２の前面は、Ｘ軸プラス方向側の面である。
【００５０】
具体的には、枠体１２０は、フレーム部１２１と、１つ以上の仕切り部１２２とを有する。
【００５１】
フレーム部１２１は、第１パネル１１１と第２パネル１１２との間の空気層を、第１パネル１１１及び第２パネル１１２とによって封止するように周囲を囲む枠である。本実施の形態では、フレーム部１２１は、第１パネル１１１と第２パネル１１２との間に配置されているが、第１パネル１１１及び第２パネル１１２の外周端縁を囲むように配置されてもよい。
【００５２】
本実施の形態では、フレーム部１２１の形状は平面視で矩形状であるが、この形状は特に限定されない。
【００５３】
フレーム部１２１は、第１パネル１１１の背面１１１ａ２に接着され、かつ、第２パネル１１２の前面に接着される。つまり、フレーム部１２１は、第１パネル１１１及び第２パネル１１２に固定される。なお、フレーム部１２１は、第１パネル１１１の背面１１１ａ２に固定されていればよく、第２パネル１１２の前面に固定されていることは必須の構成要件ではない。第２パネル１１２の前面は、Ｘ軸プラス方向に面する。
【００５４】
１つ以上の仕切り部１２２は、Ｚ軸方向の長尺な柱状の部材であり、その長手方向の両端がフレーム部１２１に接続される。また、それぞれの仕切り部１２２は、Ｘ軸方向の厚みがフレーム部１２１におけるＸ軸方向の厚みと同等であり、第１パネル１１１の背面１１１ａ２及び第２パネル１１２の前面に固定される。なお、１つ以上の仕切り部１２２は、第１パネル１１１の背面１１１ａ２に固定されていればよく、第２パネル１１２の前面に固定されていることは必須の構成要件ではない。
【００５５】
これにより、それぞれの仕切り部１２２は、空気層を複数に分割した複数の分割領域を形成する。複数の分割領域は、第１パネル１１１、第２パネル１１２及び枠体１２０によって形成される空間である。複数の分割領域は、複数の領域の一例である。
【００５６】
複数の仕切り部１２２は、第１パネル１１１及び第２パネル１１２が並ぶＸ軸方向と直交するＹ軸方向に並ぶように複数の分割領域を形成する。複数の分割領域のそれぞれに１つの励振器１３１が設けられた場合、それぞれの分割領域に対応する第１パネル１１１の一部分が振動領域となる。第１パネル１１１と枠体１２０とをＸ軸プラス方向から平面視した場合に、複数の振動領域と複数の分割領域とは一対一で対応するように、振動領域と複数の分割領域とが重なる。このように、複数の振動領域は、第１パネル１１１の背面１１１ａ２に接着された枠体１２０によって形成される。
【００５７】
本実施の形態では、フレーム部１２１に２本の仕切り部１２２が接続される。２本の仕切り部１２２は、空気層を三分割し、３つの振動領域１１１ａ、１１１ｂ、１１１ｃを形成する。第１方向は、Ｘ軸方向の一例である。第２方向は、Ｙ軸方向の一例である。
【００５８】
複数の分割領域のうちの両端に位置する一方の分割領域と他方の分割領域とのそれぞれのＹ軸方向における幅は、１つ以上の仕切り部１２２で分割されていない場合の空気層におけるＹ軸方向の幅を、分割領域の数で除算した値未満である。例えば、三分割された空気層は、第１分割領域、第２分割領域及び第３分割領域を有する。第１分割領域、第２分割領域及び第３分割領域は、複数の分割領域の一例である。
【００５９】
第２分割領域は、第１分割領域及び第３分割領域に挟まれる位置に配置される。Ｙ軸方向における第１分割領域及び第３分割領域のそれぞれの幅は、空気層におけるＹ軸方向の幅の３分の１未満である。つまり、Ｙ軸方向における第１分割領域及び第３分割領域のそれぞれの幅は、第２分割領域の幅よりも狭い。
【００６０】
また、それぞれの仕切り部１２２は、連続気泡体で構成される。連続気泡体は、スポンジ状の素材であり、空気を挿通することが可能である。る。それぞれの仕切り部１２２は、フレーム部よりも剛性が低い素材で構成される。それぞれの分割領域は、第１パネル１１１、第２パネル１１２及び枠体１２０によって封止されるものの、第１分割領域と第２分割領域との間、及び、第２分割領域と第３分割領域との間で空気を行き来させてもよい。このため、第１分割領域と第２分割領域との間、及び、第２分割領域と第３分割領域との間が完全に封止されるわけではない。
【００６１】
図３Ａに示すように、複数の励振器１３１のそれぞれは、第１パネル１１１を振動させて音を発生させるエキサイタであり、Ｘ軸方向に扁平である。それぞれの励振器１３１は、ボイスコイルボビン１３１ａ、ボイスコイル１３１ｂ、ダンパー１３１ｅ、及び、磁気回路部等で構成される。ボイスコイルボビン１３１ａは、第１パネル１１１の背面１１１ａ２に取付けられる無底の筒状である。また、ボイスコイル１３１ｂは、ボイスコイルボビン１３１ａの外周面に巻き付けられる。ダンパー１３１ｅは、磁気回路部に支持され、かつ、ボイスコイルボビン１３１ａを支持する。磁気回路部は、ボイスコイル１３１ｂを通る磁界を形成する。磁気回路部は、マグネット１３１ｃと、磁性体である金属製のポールベース１３１ｄとで構成される。マグネット１３１ｃ及びポールベース１３１ｄは、ボイスコイルボビン１３１ａの周囲を囲うリング状に形成される。また、ポールベース１３１ｄの一部は突出する凸部を有し、凸部はボイスコイル１３１ｂ内に挿入される。
【００６２】
このような構成の励振器１３１では、ボイスコイル１３１ｂに電流を流すことで、ボイスコイルボビン１３１ａの軸方向を向くローレンツ力が発生する。そして、ローレンツ力によって励振器１３１が振動するため、この振動によって第１パネル１１１から発生する音となる。
【００６３】
複数の励振器１３１のそれぞれは、第１パネル１１１の背面１１１ａ２に設けられる。つまり、複数の励振器１３１は、空気層に配置される。また、第１パネル１１１をＸ軸プラス方向から平面視した場合に、複数の励振器１３１のそれぞれは、それぞれの振動領域１１１ａ、１１１ｂ、１１１ｃの中央部分に設けられる。
【００６４】
本実施の形態では、複数の励振器１３１のうち、振動領域１１１ａ、１１１ｃに対応する位置に配置される励振器１３１が高域の音を出力させ、振動領域１１１ｂに対応する位置に配置される励振器１３１が低域の音を出力させる。つまり、第１分割領域及び第３分割領域に配置されるそれぞれの励振器１３１は、高域用であり、第２分割領域に配置される励振器１３１は、低域用である。第２分割領域に配置される低域用の励振器１３１は、第１分割領域及び第３分割領域に配置される高域用の励振器１３１よりも、大径であり、かつ、Ｘ軸方向に肉厚である。第２分割領域に配置される低域用の励振器１３１は、膨出部１１２ｂに配置される。これにより、映像表示装置１において、高域用の励振器１３１が配置される部分では、低域用の励振器１３１が配置される部分よりも、映像表示装置１のＸ軸方向の厚みが薄い。これにより、低域用の励振器１３１が配置される映像表示装置１の部分を薄くすることで、映像表示装置１の薄型化に寄与することができる。このため、映像表示装置１の設計の自由度が向上するため、デザイン性を向上させ易くなる。
【００６５】
また、複数の振動領域１１１ａ、１１１ｂ、１１１ｃの並び方向（Ｙ軸方向）の両端（振動領域１１１ａ、１１１ｃ）において、一方の振動領域１１１ａに対応する分割領域、及び、他方の振動領域１１１ｃに対応する分割領域に配置されるそれぞれの励振器１３１は、互いに遠ざかるように配置されてもよい。具体的には、複数の分割領域の並び方向（Ｙ軸方向）において、Ｙ軸プラス方向側の端部に位置する分割領域に配置される励振器１３１は、この分割領域の中央部分よりも、さらにＹ軸プラス方向側に寄せられていてもよい。また、Ｙ軸マイナス方向側の端部に位置する分割領域に配置される励振器１３１は、この分割領域の中央部分よりも、さらにＹ軸マイナス方向側に寄せられていてもよい。このように、両端に位置する一対の励振器１３１は、一対の励振器１３１の間に位置する励振器１３１から遠ざかるように設けられる。
【００６６】
なお、励振器１３１のそれぞれは、第１パネル１１１と第２パネル１１２とで挟まれた状態で固定されてもよく、第１パネル１１１に固定されるだけでもよい。なお、第１分割領域と第３分割領域との内部に配置されるそれぞれの励振器１３１は、フレーム部１２１の内周面から中央部分に向かって突出する支持部と第１パネル１１１とで挟まれた状態で支持されてもよい。
【００６７】
また、本実施形態では、第１分割領域と第３分割領域とに配置されるそれぞれの励振器１３１は、第２分割領域に設けられる励振器よりも小型である。
【００６８】
励振器１３１は、空気層がｎ個に分割されたそれぞれの分割領域に１つ配置される。励振器１３１は、分割領域に対応する第１パネル１１１の振動領域を振動させる。例えば、三分割された分割領域を例に挙げて説明すると、第１分割領域に配置された励振器１３１は、第１分割領域に対応する第１パネル１１１の一方の振動領域１１１ａを振動させる。
【００６９】
パッシブラジエータ１３２は、第２パネル１１２に形成される開口部１１２ａを覆うように、開口部１１２ａに取付けられる。本実施の形態では、パッシブラジエータ１３２は、第２パネル１１２の裏面に配置される。第２パネル１１２の裏面は、Ｘ軸マイナス方向側の面である。なお、パッシブラジエータ１３２は、第２パネル１１２の前面である、複数の分割領域のうちの少なくとも１つの分割領域に配置されてもよい。パッシブラジエータ１３２が配置される分割領域には、１つの励振器１３１が配置される。この場合、パッシブラジエータ１３２は、１つの励振器１３１と同じ空間に配置される。
【００７０】
例えば、パッシブラジエータ１３２は、複数の分割領域における中央の位置する分割領域に配置されることが好ましい。
【００７１】
図３Ｂは、図１のＩＩＩＢ−ＩＩＩＢ線におけるパッシブラジエータ１３２の断面図である。
【００７２】
図３Ｂに示すように、パッシブラジエータ１３２は、サスペンション１３２ａと、振動板１３２ｂとを有する。サスペンション１３２ａは、振動板１３２ｂをＹ−Ｚ平面で支持するための、環状のダンパーである。振動板１３２ｂは、励振器１３１による空気層の振動を利用して駆動する。つまり、振動板１３２ｂは、励振器１３１による振動に応じて振動する。
【００７３】
図１及び図２に示すように、外枠１４０は、第１パネル１１１、枠体１２０、及び、第２パネル１１２が重ね合わされた構造体の外周端縁を囲み、第１パネル１１１、枠体１２０、及び、第２パネル１１２が重なる姿勢を保持する外枠である。本実施の形態では、外枠１４０は、上述の構造体の３辺を囲むように取付けられるが、２辺でもよく、構造体の形状に合わせて４辺以上でもよい。
【００７４】
なお、外枠１４０は、壁等に固定するための支持部材を備えていてもよい。このため、映像表示装置１は、壁等に取付けることができる。
【００７５】
［解析結果］
以下では、第１パネル１１１の振幅分布と、仕切り部を備えていないパネルスピーカ装置の第１パネルの振幅分布とについて、図４を用いて説明する。
【００７６】
図４は、実施の形態に係るパネルスピーカ装置１０及び仕切り部１２２を備えていないパネルスピーカ装置の模式図と、実施の形態に係るパネルスピーカ装置１０を駆動させた場合の第１パネル１１１の振幅分布と、仕切り部１２２を備えていないパネルスピーカ装置とにおける励振器１３１を駆動させた場合の第１パネル１１１の振幅分布とを示す図である。言い換えれば、図４は、仕切り部１２２によって空気層を複数に分割した場合、及び、空気層を複数に分割していない場合を示す図である。図４のａは、実施の形態に係るパネルスピーカ装置１０であり、図４のｂは、仕切り部１２２を備えていないパネルスピーカ装置である。
【００７７】
また、図４では、高域の音、中域の音、及び、低域の音のそれぞれの場合において、励振器１３１によって振動した第１パネル１１１の振幅分布を示す。図４では、白色は振幅する波の高さが低く、黒色は振幅する波の高さが高いことを示す。
【００７８】
図４のａでは、空気層を三分割することで、第１パネル１１１に３つの振動領域１１１ａ、１１１ｂ、１１１ｃを形成させたパネルスピーカ装置１０を用いる。
【００７９】
図４のａに示すように、低域の音の場合、仕切り部１２２を設けていても仕切り部１２２による境界が識別し難く、図４のｂに示すように、仕切り部１２２を設けていない場合とさほどの差異は見られない。このため、低域では、仕切り部１２２を設けたことによる、空気層の体積減少の影響を受け難くなっている。つまり、低域では、第１パネル１１１の全面が振動している。
【００８０】
なお、付言すれば、図４のａでは、振動の腹に相当する部分の数が、図４のｂでの、振動の腹に相当する部分の数よりも少ない。このため、図４のａの方が図４のｂよりも、振動の波長が長い。
【００８１】
図４のａ及び図４のｂに示すように、中域の音の場合、仕切り部１２２を設けている場合、線Ｖ１近傍に境界が表れている。一方、仕切り部１２２を設けていない場合では、何ら境界を認識することはできない。このため、仕切り部１２２を設けていない場合では、それぞれの励振器１３１ｘの振動による第１パネル１１１ｘでの振動が混ざり合っていることが判る。
【００８２】
高域の音の場合、仕切り部１２２を設けている場合、線Ｖ２近傍に境界が表れている。一方、仕切り部１２２を設けていない場合では、何ら境界を認識することはできない。このため、仕切り部１２２を設けていない場合では、それぞれの励振器１３１ｘの振動による第１パネル１１１ｘでの振動が混ざり合っていることが判る。
【００８３】
次に、以下では、実施の形態に係るパネルスピーカ装置１０と仕切り部１２２を備えていないパネルスピーカ装置との周波数応答特性について説明する。
【００８４】
図５は、実施の形態に係るパネルスピーカ装置１０の第１パネル１１１から発せられる周波数応答特性と、仕切り部１２２を備えていないパネルスピーカ装置（従来例）の第１パネル１１１から発せられる周波数応答特性とを示す図である。
【００８５】
図５に示すように、仕切り部１２２を備えた場合の周波数応答特性を実線で示し、仕切り部１２２を備えていない場合の周波数応答特性を破線で示す。
【００８６】
実線と破線とを見比べると、実線よりも破線の方が振幅は大きい。つまり、実線の場合では、振動領域が独立しているため、それぞれの振動領域の振動が混ざり難い。実線は、破線に比べて振幅が小さく、直線に近い。このため、実線の場合の方が、破線の場合に比べて周波数応答特性のピークディップが小さい。しかし、破線の場合では、振動領域が独立していないため、振動領域を振動するそれぞれの励振器の振動が混ざり合い、打ち消し合うことがある。また、振動領域の端縁で跳ね返った間接的な振動と、励振器からの直接的な振動とも混ざり合うため、より打ち消し合うことがある。このため、破線の場合では、特定の周波数帯でピークディップが生じる。
【００８７】
［効果］
このようなパネルスピーカ装置１０では、枠体１２０が第１パネル１１１と第２パネル１１２との間の空気層を複数に分割する。このため、分割領域を複数に独立させることができ、かつ、それぞれの分割領域に対応する第１パネル１１１のそれぞれの振動領域１１１ａ、１１１ｂ、１１１ｃを独立させることができる。これにより、それぞれの振動領域の振動が相互に混ざり合わないように、それぞれの振動領域１１１ａ、１１１ｂ、１１１ｃを個別に振動させることで、それぞれの振動領域１１１ａ、１１１ｂ、１１１ｃが個別に音を発することができる。
【００８８】
より具体的には、このようなパネルスピーカ装置１０では、複数の分割領域のうち隣り合う２つの分割領域では、空気が行き来する。このため、隣り合う２つの分割領域では、高域の音となる振動を分離させ、かつ、低域の音となる振動を完全に分離させずに互いに伝達することができる。高域の音では、低域の音よりも周波数が高いため、隣り合う２つの分割領域で空気が行き来しても、高域の音となる振動が混ざり合い難い。このため、第１パネル１１１から発される高域の音の音質の悪化を、より抑制することができる。また、低域の音では、高域の音よりも周波数が低いため、仕切り部１２２を介して低域の音となる振動が混ざり合い易く、空気層を分割したことによる空気層の体積の影響が受け難くなる。このため、空気層を複数に分割したことによる空気層の体積の減少による、低域の音質の悪化を抑制することができる。
【００８９】
したがって、パネルスピーカ装置１０では、複数の励振器１３１を第１パネル１１１に取付けた場合でも、第１パネル１１１のそれぞれの分割領域から発される音の音質の悪化を抑制することができる。
【００９０】
（その他変形例）
以上、本開示の実施の形態に係るパネルスピーカ装置について説明したが、本開示の実施の形態は上述の実施の形態に限定されるものではない。
【００９１】
例えば、上記実施の形態に係るパネルスピーカ装置において、仕切り部は、Ｚ軸方向に長尺であり、複数の領域がＹ軸方向に並ぶように空気層を分割しているが、これには限定されない。つまり、仕切り部は、Ｙ軸方向に長尺であり、複数の領域がＺ軸方向に並ぶように空気層を分割してもよい。また、Ｙ軸方向に長尺な仕切り部とＸ軸方向に長尺な仕切り部とを組み合わせて、空気層を格子状に分割した分割領域を形成してもよい。
【００９２】
また、上記実施の形態に係るパネルスピーカ装置において、仕切り部は、１つでもよく、３つ以上でもよい。このため、分割領域の数に合わせて仕切り部を設けてもよい。
【００９３】
また、上記実施の形態に係るパネルスピーカ装置において、例えば第１分割領域に設けられる励振器と第３分割領域に設けられる励振器とが第２分割領域に設けられる励振器と同等の大きさでもよい。
【００９４】
また、上記実施の形態に係るパネルスピーカ装置において、第１パネルは、プロジェクターを投影するためのスクリーンであってもよい。この場合、第２パネルは、スクリーンに背面側に設けられる壁であってもよい。
【００９５】
また、上記実施の形態に係るパネルスピーカ装置において、複数の分割領域のうち、高域の音を出力する分割領域では、仕切り部を設け、低域の音を出力する分割領域では、仕切り部を設けなくてもよい。
【００９６】
以上、一つ又は複数の態様に係るパネルスピーカ装置について、実施の形態に基づいて説明したが、本開示の実施の形態は当該複数の態様に限定されるものではない。本開示の趣旨を逸脱しない限り、当業者が思いつく各種変形を本実施の形態に施したもの、異なる実施の形態における構成要素を組み合わせて構築される形態も、一つ又は複数の態様の範囲内に含まれてもよい。
【産業上の利用可能性】
【００９７】
本開示は、テレビジョン、プロジェクター用のスクリーン等の映像表示装置に適用できる。
【符号の説明】
【００９８】
１０  パネルスピーカ装置（スピーカ装置）
１１１  第１パネル
１１１ａ、１１１ｂ、１１１ｃ  分割領域（領域）（１１１ａ・・・一方の分割領域（一方の領域）、１１１ｃ・・・他方の分割領域（他方の領域））
１１１ａ１  前面
１１１ａ２  背面
１１２  第２パネル
１２０  枠体
１２２  仕切り部
１３１  励振器
１３２  パッシブラジエータ
【図１】
2020039107.tif 000003
【図２】
2020039107.tif 000004
【図３Ａ】
2020039107.tif 000005
【図３Ｂ】
2020039107.tif 000006
【図４】
2020039107.tif 000007
【図５】
2020039107.tif 000008